【手続補正書】
【提出日】平成19年6月29日(2007.6.29)
【手続補正１】
【補正対象書類名】明細書
【補正対象項目名】特許請求の範囲
【補正方法】変更
【補正の内容】
【特許請求の範囲】
【請求項１】  プリントヘッドを用いてプリント媒体にプリントを行うプリント装置であって、
プリントに先立ちプリント媒体をプリントヘッドへ向う方向に給送するためのプリント媒体給送手段と、
前記プリント媒体給送手段を駆動するための電力を制御する電力制御手段と、
前記プリント媒体給送手段以外の電力使用源と、
前記プリント媒体給送手段を駆動するときに、前記電力使用源の電力の使用状態を判定する判定手段とを有し、
前記電力制御手段は、前記判定手段による判定の結果に基づき前記プリント媒体給送手段を駆動するための電力の制御を行うことを特徴とするプリント装置。
【請求項２】  前記電力制御手段は、前記判定手段が判定した電力の使用状態が所定の使用状態を超えると判定したとき、前記プリント媒体給送手段による給送の速度を第１の速度に制御し、前記判定手段が判定した電力の使用状態が所定の使用状態を超えないと判定したとき、前記プリント媒体給送手段による給送の速度を前記第１の速度より高速の第２の速度に制御することを特徴とする請求項１記載のプリント装置。
【請求項３】  前記電力使用源は、プリントヘッド、前記プリントヘッドをプリント媒体に対して相対的に主走査させるための主走査手段および前記プリント媒体を間欠的に副走査方向に搬送するための間欠搬送手段を含むことを特徴とする請求項２記載のプリント装置。
【請求項４】  前記電力使用源は前記プリントヘッドと前記プリントヘッドをプリント媒体に対して相対的に主走査させるための主走査手段と前記プリント媒体を間欠的に副走査方向に搬送するための間欠搬送手段とを含み、前記プリント媒体給送手段を駆動するときに前記電力使用源のうち少なくとも２つが駆動されるとき、前記判定手段は、電力の使用状態が前記所定の使用状態を超えると判定することを特徴とする請求項２記載のプリント装置。
【請求項５】  前記電力使用源は前記プリントヘッドと前記プリントヘッドをプリント媒体に対して相対的に主走査させるための主走査手段と前記プリント媒体を間欠的に副走査方向に搬送するための間欠搬送手段とを含み、前記プリント媒体給送手段を駆動するときに、前記電力使用源のうち前記主走査手段と前記間欠搬送手段とが駆動されるとき、前記判定手段は、前記電力使用源の電力使用状態が所定の使用状態を超えると判定することを特徴とする請求項２記載のプリント装置。
【請求項６】  前記電力使用源は前記プリントヘッドと前記プリントヘッドをプリント媒体に対して相対的に主走査させるための主走査手段と前記プリント媒体を間欠的に副走査方向に搬送するための間欠搬送手段とを含み、前記プリント媒体給送手段を駆動するときに、前記電力使用源のうち前記プリントヘッドと前記主走査手段とが駆動されるとき、前記判定手段は、前記電力使用源の電力使用状態が所定の使用状態を超えると判定することを特徴とする請求項２記載のプリント装置。
【請求項７】  前記電力使用源は前記プリントヘッドと前記プリントヘッドをプリント媒体に対して相対的に主走査させるための主走査手段と前記プリント媒体を間欠的に副走査方向に搬送するための間欠搬送手段とを含み、前記プリント媒体給送手段を駆動するときに、前記電力使用源のうち前記主走査手段のみが駆動されるとき、前記判定手段は、前記電力使用源の電力使用状態が所定の使用状態を超えないと判定することを特徴とする請求項２記載のプリント装置。
【請求項８】  前記電力使用源は前記プリントヘッドと前記プリントヘッドをプリント媒体に対して相対的に主走査させるための主走査手段と前記プリント媒体を間欠的に副走査方向に搬送するための間欠搬送手段とを含み、前記プリント媒体給送手段を駆動するときに、前記電力使用源のうち前記間欠搬送手段のみが駆動されるとき、前記判定手段は、前記電力使用源の電力使用状態が所定の使用状態を超えないと判定することを特徴とする請求項２記載のプリント装置。
【請求項９】  前記電力使用源は前記プリントヘッドと前記プリントヘッドをプリント媒体に対して相対的に主走査させるための主走査手段と前記プリント媒体を間欠的に副走査方向に搬送するための間欠搬送手段とを含み、前記プリント媒体給送手段を駆動するときに、前記電力使用源のうち前記間欠搬送手段と前記プリントヘッドとが駆動されるとき、前記判定手段は、前記電力使用源の電力使用状態が所定の使用状態を超えると判定することを特徴とする請求項２記載のプリント装置。
【請求項１０】  前記電力使用源は前記プリントヘッドと前記プリントヘッドをプリント媒体に対して相対的に主走査させるための主走査手段と前記プリント媒体を間欠的に副走査方向に搬送するための間欠搬送手段とからなり、前記プリント媒体給送手段を駆動するときに、前記主走査手段と前記間欠搬送手段のいずれも駆動されないとき、前記判定手段は、前記電力使用源の電力使用状態が所定の使用状態を超えないと判定することを特徴とする請求項２記載のプリント装置。
【請求項１１】  前記所定の使用状態は、所定の電力レベルであることを特徴とする請求項２乃至１０のいずれかに記載のプリント装置。
【請求項１２】  プリントヘッドを主走査方向に主走査させてプリント媒体にプリントを行うプリント装置における電力の制御方法であって、
前記主走査方向と異なる副走査方向に前記プリント媒体を間欠的に搬送するための間欠搬送手段と、
前記間欠搬送手段へ向けて前記プリント媒体を給送するためのプリント媒体給送手段と、
前記プリント媒体給送手段を駆動するための電力を制御する電力制御手段と、
前記プリント媒体給送手段以外の電力使用源であって、前記間欠搬送手段を少なくとも含む電力使用源と、
前記プリント媒体給送手段を駆動するときに、前記電力使用源の電力の使用状態を判定する判定手段とを有し、
前記電力制御手段は、前記判定手段による判定の結果に基づき前記プリント媒体給送手段を駆動するための電力の制御を行うことを特徴とするプリント装置。
【請求項１３】  プリントヘッドを用いてプリント媒体にプリントを行うプリント装置における電力の制御方法であって、
プリントに先立ちプリント媒体をプリントヘッドへ向う方向に給送するための給送工程と、
前記給送工程を実行するときに、前記給送工程と同時に実行できる工程の電力の使用状態を判定する工程とを備え、
前記判定工程による判定の結果に応じて、前記給送工程に使用される電力の大きさを制御することを特徴とする、プリント装置における電力の制御方法。
【手続補正２】
【補正対象書類名】明細書
【補正対象項目名】０００４
【補正方法】変更
【補正の内容】
【０００４】
本発明は上述の課題を解決するためになされたものであり、複数の駆動源の電力配分を最適化することで低い電力で高速記録を行うことができるプリント装置を提供することを目的とする。
【手続補正３】
【補正対象書類名】明細書
【補正対象項目名】０００５
【補正方法】変更
【補正の内容】
【０００５】
【課題を解決するための手段】
上記目的を達成する本発明は、プリントヘッドを用いてプリント媒体にプリントを行うプリント装置であって、プリントに先立ちプリント媒体をプリントヘッドへ向う方向に給送するためのプリント媒体給送手段と、前記プリント媒体給送手段を駆動するための電力を制御する電力制御手段と、前記プリント媒体給送手段以外の電力使用源と、前記プリント媒体給送手段を駆動するときに、前記電力使用源の電力の使用状態を判定する判定手段とを有し、前記電力制御手段は、前記判定手段の判定結果に基づき前記プリント媒体給送手段を駆動するための電力の制御を行うことを特徴とする。